(57)【要約】【課題】本発明は、バッテリーパックの充電状態の判別精度を向上させることができる充電装置を提供する。【解決手段】不揮発性メモリ１３３と、二次電池セル１３８とを備えるバッテリーパック１２８が着脱可能な充電装置１０１において、バッテリーパックの充電状態を判定するための充電状態データテーブルが充電マイコン１１８内のＲＯＭに予め格納されている。バッテリーパック１２８内の不揮発性メモリ１３３から読み出した識別データに対応する充電状態データテーブルをＲＯＭから読み出し、測定した充電電流に基づいて補正する。そして、補正した充電状態データテーブルに基づいてバッテリーパックの充電状態を判定する。【選択図】図２
2008304374.tif 000002
【特許請求の範囲】
【請求項１】
メモリと、二次電池とを備えるバッテリーパックが着脱可能な充電装置において、
前記バッテリーパックの種類を表す識別情報を前記メモリから読み出す識別情報読出手段と、
前記バッテリーパックの充電電流を測定する充電電流測定手段と、
前記読み出した識別情報に基づいて、前記バッテリーパックの充電状態を判定するための充電状態データテーブルを読み出すデータテーブル読出手段と、
前記読み出した充電状態データテーブルを、前記測定した充電電流に基づいて補正する補正手段と、
前記補正した充電状態データテーブルに基づいて前記充電状態を判定する充電状態判定手段とを備えることを特徴とする充電装置。
【請求項２】
メモリと、温度検出素子と、二次電池とを備えるバッテリーパックが着脱可能な充電装置において、
前記バッテリーパックの種類を表す識別情報を前記メモリから読み出す識別情報読出手段と、
前記温度検出素子により前記バッテリーパックの温度を測定する温度測定手段と、
前記バッテリーパックの充電電流を測定する充電電流測定手段と、
前記読み出した識別情報及び前記測定した温度の少なくとも１つに基づいて、前記バッテリーパックの充電状態を判定するための充電状態データテーブルを読み出すデータテーブル読出手段と、
前記読み出した充電状態データテーブルを、前記測定した充電電流に基づいて補正する補正手段と、
前記補正した充電状態データテーブルに基づいて前記充電状態を判定する充電状態判定手段とを備えることを特徴とする充電装置。
【請求項３】
前記補正手段は、前記充電状態を判定するために予め設定された充電電圧を補正することを特徴とする請求項１又は２記載の充電装置。
【請求項４】
前記充電状態判定手段により判定された充電状態を充電状態データとして前記メモリに格納する充電状態データ格納手段と、
前記メモリに格納されている充電状態データと前記充電状態判定手段により判定された充電状態データとを比較する比較手段を更に備え、
前記充電状態データ格納手段は、前記比較した結果により前記充電状態データが一致しないときは、前記充電状態判定手段により判定された充電状態データを前記メモリに格納することを特徴とする請求項１乃至３のいずれか１項に記載の充電装置。
【請求項５】
メモリと、二次電池とを備えるバッテリーパックが着脱可能な充電装置の制御方法において、
前記バッテリーパックの種類を表す識別情報を前記メモリから読み出す識別情報読出工程と、
前記バッテリーパックの充電電流を測定する充電電流測定工程と、
前記読み出した識別情報に基づいて、前記バッテリーパックの充電状態を判定するための充電状態データテーブルを読み出すデータテーブル読出工程と、
前記読み出した充電状態データテーブルを、前記測定した充電電流に基づいて補正する補正工程と、
前記補正した充電状態データテーブルに基づいて前記充電状態を判定する充電状態判定工程とを備えることを特徴とする充電装置の制御方法。
【請求項６】
メモリと、温度検出素子と、二次電池とを備えるバッテリーパックが着脱可能な充電装置の制御方法において、
前記バッテリーパックの種類を表す識別情報を前記メモリから読み出す識別情報読出工程と、
前記温度検出素子により前記バッテリーパックの温度を測定する温度測定工程と、
前記バッテリーパックの充電電流を測定する充電電流測定工程と、
前記読み出した識別情報及び前記測定した温度の少なくとも１つに基づいて、前記バッテリーパックの充電状態を判定するための充電状態データテーブルを読み出すデータテーブル読出工程と、
前記読み出した充電状態データテーブルを、前記測定した充電電流に基づいて補正する補正工程と、
前記補正した充電状態データテーブルに基づいて前記充電状態を判定する充電状態判定工程とを備えることを特徴とする充電装置の制御方法。
【発明の詳細な説明】
【技術分野】
【０００１】
本発明は、充電装置及びその制御方法に関し、特に、メモリと二次電池を備えるバッテリーパックに対して充電を行う充電装置及びその制御方法に関する。
【背景技術】
【０００２】
従来、充電可能な電池とその電池の公称電荷容量値及び残存電荷容量値を記憶する不揮発性メモリと備えるバッテリーパックと、このバッテリーパック内の不揮発性メモリに電池の残存電荷容量値を記憶させる充電装置が提案されている（例えば、特許文献１参照）。
【特許文献１】特開平０６−３１０１７９号公報
【発明の開示】
【発明が解決しようとする課題】
【０００３】
しかしながら、近年では、充電装置が開発された後に、当該充電装置で充電可能な新規なバッテリーパックが複数種類開発される状況があり、それらが異なる充電特性を有していると、残存電荷容量値のみでは正確な充電状態の判定が困難である。
【０００４】
そこで、本発明は、上記問題に鑑みて成されたものであり、バッテリーパックの充電状態の判別精度を向上させることができる充電装置及びその制御方法を提供することを目的とする。
【課題を解決するための手段】
【０００５】
上記目的を達成するために、請求項１記載の充電装置は、メモリと、二次電池とを備えるバッテリーパックが着脱可能な充電装置において、前記バッテリーパックの種類を表す識別情報を前記メモリから読み出す識別情報読出手段と、前記バッテリーパックの充電電流を測定する充電電流測定手段と、前記読み出した識別情報に基づいて、前記バッテリーパックの充電状態を判定するための充電状態データテーブルを読み出すデータテーブル読出手段と、前記読み出した充電状態データテーブルを、前記測定した充電電流に基づいて補正する補正手段と、前記補正した充電状態データテーブルに基づいて前記充電状態を判定する充電状態判定手段とを備えることを特徴とする。
【０００６】
上記目的を達成するために、請求項２記載の充電装置は、メモリと、温度検出素子と、二次電池とを備えるバッテリーパックが着脱可能な充電装置において、前記バッテリーパックの種類を表す識別情報を前記メモリから読み出す識別情報読出手段と、前記温度検出素子により前記バッテリーパックの温度を測定する温度測定手段と、前記バッテリーパックの充電電流を測定する充電電流測定手段と、前記読み出した識別情報及び前記測定した温度の少なくとも１つに基づいて、前記バッテリーパックの充電状態を判定するための充電状態データテーブルを読み出すデータテーブル読出手段と、前記読み出した充電状態データテーブルを、前記測定した充電電流に基づいて補正する補正手段と、前記補正した充電状態データテーブルに基づいて前記充電状態を判定する充電状態判定手段とを備えることを特徴とする。
【０００７】
上記目的を達成するために、請求項５記載の充電装置の制御方法は、メモリと、二次電池とを備えるバッテリーパックが着脱可能な充電装置の制御方法において、前記バッテリーパックの種類を表す識別情報を前記メモリから読み出す識別情報読出工程と、前記バッテリーパックの充電電流を測定する充電電流測定工程と、前記読み出した識別情報に基づいて、前記バッテリーパックの充電状態を判定するための充電状態データテーブルを読み出すデータテーブル読出工程と、前記読み出した充電状態データテーブルを、前記測定した充電電流に基づいて補正する補正工程と、前記補正した充電状態データテーブルに基づいて前記充電状態を判定する充電状態判定工程とを備えることを特徴とする。
【０００８】
上記目的を達成するために、請求項６記載の充電装置の制御方法は、メモリと、温度検出素子と、二次電池とを備えるバッテリーパックが着脱可能な充電装置の制御方法において、前記バッテリーパックの種類を表す識別情報を前記メモリから読み出す識別情報読出工程と、前記温度検出素子により前記バッテリーパックの温度を測定する温度測定工程と、前記バッテリーパックの充電電流を測定する充電電流測定工程と、前記読み出した識別情報及び前記測定した温度の少なくとも１つに基づいて、前記バッテリーパックの充電状態を判定するための充電状態データテーブルを読み出すデータテーブル読出工程と、前記読み出した充電状態データテーブルを、前記測定した充電電流に基づいて補正する補正工程と、前記補正した充電状態データテーブルに基づいて前記充電状態を判定する充電状態判定工程とを備えることを特徴とする。
【発明の効果】
【０００９】
本発明によれば、バッテリーパック内のメモリから読み出した識別情報に対応する充電状態データテーブルを読み出す。そして、この充電状態データテーブルを、測定した充電電流に基づいて補正し、当該補正した充電状態データテーブルに基づいてバッテリーパックの充電状態を判定する。これにより、バッテリーパックの充電状態の判別精度を向上させることができる。
【００１０】
また、本発明によれば、バッテリーパック内のメモリから読み出した識別情報及び温度検出素子により測定したバッテリーパックの温度の少なくとも１つに基づいて、充電状態データテーブルを読み出す。そして、この充電状態データテーブルを、測定した充電電流に基づいて補正し、当該補正した充電状態データテーブルに基づいてバッテリーパックの充電状態を判定する。これにより、バッテリーパックの充電状態の判別精度をより向上させることができる。
【発明を実施するための最良の形態】
【００１１】
以下、本発明の実施の形態を図面を参照して詳細に説明する。
【００１２】
図１は、本発明の実施形態に係る充電装置及びバッテリーパックの内部構成を示すブロック図である。
【００１３】
図１において、充電装置１０１は、繰り返し充電が可能なバッテリーパック１２８に定電圧／定電流充電を行う充電装置である。バッテリーパック１２８は、リチウムイオン二次電池を備え、充電装置１０１に着脱可能に構成されている。また、バッテリーパック１２８は、デジタルカメラやＰＤＡ（Personal Digital Assistant）等の電子機器に着脱可能に構成され、当該電子機器の電源として機能する。
【００１４】
充電装置１０１において、ＡＣ入力部１０２は外部のＡＣ（Alternating Current）電源に接続し、該ＡＣ電源からＡＣの供給を受ける。フィルタ回路１０３は、ＡＣ入力部１０２から入力されたＡＣに含まれるノイズを低減する。ブリッジダイオード１０４は、ＡＣを半波に整流する。一次電解コンデンサ１０５は、半波整流されたＡＣをＤＣに変換する。トランス１０６は、ＤＣを変圧する変圧器である。スイッチングコントロール部１０７は、フォトカプラ１０８からの信号に基づいてトランス１０６の二次側出力を安定化する。フォトカプラ１０８は、トランス１０６の二次側の充電電圧／充電電流の状態を一次側に伝達する。整流ダイオード１０９及び整流コンデンサ１１０は、トランス１０６からの出力を整流する。
【００１５】
レギュレータ１１１は、充電制御マイコン１１８に規定のＤＣを供給すると共に、オペアンプ１１２，１１５に基準電圧を印加する。オペアンプ１１２は、バッテリーパック１２８への充電電圧を帰還するためのものである。オペアンプ１１５は、バッテリーパック１２８への充電電流を帰還するためのものである。抵抗器１１３，１１４は、バッテリーパック１２８への充電電圧を帰還するために設けられた抵抗である。抵抗器１１６，１１７は、所定の充電電流を設定するために設けられた抵抗である。
【００１６】
充電制御マイコン１１８は、ＣＰＵ（Central Processing Unit）と共に、不揮発性のＲＡＭ（Random Access Memory）やＲＯＭ(Read Only Memory)、タイマー回路（不図示）等を備える。ＲＯＭには、バッテリーパックの種類毎に、充電電流と充電電圧からバッテリーパックの充電状態を判定するための充電状態データテーブルが予め格納されている。充電制御マイコン１１８は、測定した充電電流及び充電電圧に基づいて充電状態データテーブルを参照し、バッテリーパックの充電状態を判定する。
【００１７】
充電制御マイコン１１８は、バッテリーパック１２８への充電電圧及び充電電流を測定し、バッテリーパック１２８内のサーミスタ１３４で温度を測定することができる。また、充電制御マイコン１１８は、バッテリーパック１２８内の不揮発性メモリ１３３にアクセスして各種データの書込み及び読出しを行う。
【００１８】
充電スイッチ回路１１９は、充電出力をＯＮ／ＯＦＦするスイッチ回路である。電流検知抵抗１２０は、充電制御マイコン１１８が充電電流を測定するための抵抗である。抵抗器１２１，１２２は、充電制御マイコン１１８が充電電圧を測定するための抵抗である。抵抗器１２３は、不揮発性メモリ１３３に所定の電圧を印加するための抵抗である。表示部１３９は、複数のＬＥＤによって構成され、それらの点灯又は点滅によりバッテリーパック１２８の充電状態を表す。
【００１９】
＋端子１２４は、バッテリーパック１２８が充電装置１０１に装着されたときにバッテリーパック側の＋端子１２９と接触して電気的に接続する。通信（Ｄ）端子１２５は、バッテリーパック１２８が充電装置１０１に装着されたときにバッテリーパック側の通信（Ｄ）端子１３０と接触して電気的に接続する。温度（Ｔ）端子１２６は、バッテリーパック１２８が充電装置１０１に装着されたときにバッテリーパック側の温度（Ｔ）端子１３１と接触して電気的に接続する。−端子１２７は、バッテリーパック１２８が充電装置１０１に装着されたときにバッテリーパック側の−端子１３２と接触して電気的に接続する。
【００２０】
サーミスタ１３４は、温度変化を抵抗値に変換する温度検出素子である。充電制御マイコン１１８は、互いに接続された温度（Ｔ）端子１２６，１３１を介してサーミスタ１３４から二次電池セル１３８の温度を測定することができる。電池保護回路１３５は、バッテリーパック１２８の充電時又は放電時において、電圧／電流を監視して過充電又は過放電にならないように二次電池セル１３８を保護する。充電保護ＦＥＴ１３６は、充電時に異常が発生した場合、回路を遮断するスイッチであり、電池保護回路１３５により制御される。放電保護ＦＥＴ１３７は、放電時の異常が発生した場合、回路を遮断するスイッチであり、電池保護回路１３５により制御される。二次電池セル１３８はリチウムイオン二次電池等から成る。
【００２１】
ＡＣ入力部１０２にＡＣが入力されると、フィルタ回路１０３、ブリッジダイオード１０４、一次電解コンデンサ１０５を介してトランス１０６に電力が供給される。トランス１０６の二次側出力電圧は、整流ダイオード１０９、整流コンデンサ１１０で整流される。そして、抵抗器１１３，１１４、オペアンプ１１２、フォトカプラ１０８を介してバッテリーパック１２８の充電電圧に設定される。
【００２２】
バッテリーパック１２８が充電装置１０１に装着されると、充電装置１０１の＋端子１２４がバッテリーパック１２８の＋端子１２９に接続され、充電装置１０１の−端子１２７がバッテリーパック１２８の−端子１３２に接続される。同時に、充電装置１０１の通信（Ｄ）端子１２５がバッテリーパック１２８の通信（Ｄ）端子１３０に接続され、充電装置１０１の温度（Ｔ）端子１２６がバッテリーパック１２８の温度（Ｔ）端子１３１に接続される。そして、抵抗器１１６及び抵抗器１１７により充電電流が設定され、電流検知抵抗１２０、オペアンプ１１５、フォトカプラ１０８を介して定電圧／定電流充電が行われる。
【００２３】
バッテリーパック１２８への充電は、充電制御マイコン１１８によって制御される。充電制御マイコン１１８は、電流検知抵抗１２０の両端に発生する電位差により充電電流を測定する（充電電流測定手段）。また、抵抗器１２１，１２２により充電電圧を測定する。さらに、充電電圧の上昇及び充電電流の低下を測定する。
【００２４】
次に、充電装置１０１による充電動作の流れを図２を参照して説明する。
【００２５】
図２は、バッテリーパック１２８への充電制御処理を示すフローチャートである。
【００２６】
充電制御マイコン１１８は、バッテリーパック１２８の装着を検出すると（ステップＳ１０２）、通信（Ｄ）端子１２５，１３０を介してバッテリーパック１２８内の不揮発性メモリ１３３から識別データ（識別情報）を読み出す（ステップＳ１０３）（識別情報読出手段）。識別データは、バッテリーパック１２８の種類を表すデータであって、バッテリーパックの種類毎に設定された固有のデータである。識別データは、バッテリーパック１２８内の不揮発性メモリ１３３に予め格納されている。
【００２７】
次に、充電を開始すると（ステップＳ１０４）、充電制御マイコン１１８は、充電タイマーをスタートさせ（ステップＳ１０５）、充電電流及び充電電圧が安定するまで待機する（ステップＳ１０６）。これは、充電開始直後は過渡的なノイズ或いは充電垂下電流が一時的に高い状態になるためである。ステップＳ１０６では、充電電流及び充電電圧が安定するまでの指定時間が経過したか否かを判別し、指定時間が経過したときは、ステップＳ１０７へ進む。
【００２８】
次に、ステップＳ１０７では、充電制御マイコン１１８は、バッテリーパック１２８内の不揮発性メモリ１３３から当該バッテリーパック１２８の充電状態を表す充電状態データを読み出す。充電状態データについては後述する。
【００２９】
次に、充電制御マイコン１１８は、抵抗器１２１，１２２を利用してバッテリーパック１２８への充電電圧を測定する（ステップＳ１０８）。つづいて、充電制御マイコン１１８は、電流検知抵抗１２０の両端に発生する電位差によりバッテリーパック１２８への充電電流を測定する（ステップＳ１０９）。さらに、充電制御マイコン１１８は、バッテリーパック１２８内のサーミスタ１３４によりバッテリーパック１２８の温度を測定する（ステップＳ１１０）。
【００３０】
次に、充電制御マイコン１１８は、ステップＳ１０３で読み出した識別データ及びステップＳ１１０で測定したバッテリーパック温度に対応する充電状態データテーブルを当該充電制御マイコン１１８内のＲＯＭから読み出して参照する（ステップＳ１１１）（データテーブル読出手段）。充電制御マイコン１１８内のＲＯＭには予め充電状態データテーブルが格納されている。
【００３１】
次に、充電制御マイコン１１８は、ステップＳ１０９で測定した充電電流に基づいて充電状態データテーブルを補正する（ステップＳ１１２）（補正手段）。この充電状態データテーブルの補正については後述する。
【００３２】
次に、充電制御マイコン１１８は、ステップＳ１１２で補正した充電状態データテーブルに基づいてバッテリーパック１２８の充電状態を判定する（ステップＳ１１３）（充電状態判定手段）。ここでは、ステップＳ１０７で読み出した充電状態データと、補正した充電状態データテーブルに基づいて特定された現在の充電状態データと比較する。
【００３３】
ステップＳ１１３の比較結果により、充電状態データの書き換えが必要か否かを判断し（ステップＳ１１４）、読み出した充電状態データと現在の充電状態データとが一致して書き換えの必要がないときは（ステップＳ１１４でＮＯ）、ステップＳ１０７へ戻る。一方、読み出した充電状態データと現在の充電状態データとが一致せず、充電状態データの書き換えが必要であるときは、ステップＳ１１５へ進む。
【００３４】
ステップＳ１１５では、充電制御マイコン１１８は、現在の充電状態データをバッテリーパック１２８内の不揮発性メモリ１３３に送信し、当該不揮発性メモリ１３３内の充電状態データを書き換える（充電状態データ格納手段）。
【００３５】
ステップＳ１１６では、充電制御マイコン１１８は、充電終了条件に基づいてバッテリーパック１２８への充電が終了したか否かを判断し、充電終了条件を満たしていないときはステップＳ１０７に移行する。一方、充電終了条件を満たしているときは充電を終了する。
【００３６】
本実施の形態では、図２のステップＳ１１１において、ステップＳ１０３で読み出した識別データ及びステップＳ１１０で測定したバッテリーパック温度に対応する充電状態データテーブルを充電制御マイコン１１８内のＲＯＭから読み出して参照している。しかしながら、ステップＳ１０３で読み出した識別データ及びステップＳ１１０で測定したバッテリーパック温度に対応する充電状態データテーブルが充電制御マイコン１１８内のＲＯＭに存在しない場合がある。これは、バッテリーパック１２８が充電装置１０１の発売後に新規に商品化されているためである。
【００３７】
そこで、ＲＯＭ内に該当する充電状態データテーブルがない場合、充電制御マイコン１１８がバッテリーパック１２８内の不揮発性メモリ１３３から充電状態データを読出し、該充電状態データに基づいて充電状態データテーブルを作成してもよい。
【００３８】
また、充電制御マイコン１１８内のＲＯＭに予め充電状態データテーブルを格納することなく、バッテリーパック１２８内の不揮発性メモリ１３３から当該バッテリーパックの充電特性を読み出して、充電状態データテーブルを作成してもよい。
【００３９】
また、本実施の形態では、サーミスタ１３４を備えるバッテリーパックについて説明したが、サーミスタ１３４が省略されていても本発明が適用可能である。この場合、ステップＳ１１０のバッテリーパック温度測定処理が省略される。そして、ステップＳ１１１では、ステップＳ１０３で読み出された識別データに対応する充電状態データテーブルが充電制御マイコン１１８内のＲＯＭから読み出されることになる。
【００４０】
次に、充電状態データテーブル及び充電状態データについて図３及び図４を参照して説明する。
【００４１】
図３は、充電状態データテーブルの一例を示す図である。図４は、バッテリーパック１２８の充電特性と充電状態データとの関係を示す図である。
【００４２】
図３において、充電状態データはバッテリーパック１２８の充電状態を表すデータであり、その充電特性に基づいてバッテリーパック１２８の充電状態が減電状態、状態１〜３、満充電状態の５段階に分けられている。そして、充電状態データテーブルでは、各充電状態データに対して、充電電流、充電電圧、満充電容量比率、及び充電容量がそれぞれ対応している。
【００４３】
図４において、バッテリーパック１２８への充電初期段階では、充電装置１０１により制限された一定の電流値で充電を行う。充電制御マイコン１１８は、測定した充電電圧がＸ［Ｖ］未満の場合、充電状態が０〜２０％の減電状態であると判断し、充電状態データを減電状態とする。そして、測定した充電電圧がＸ［Ｖ］以上Ｙ［Ｖ］未満の場合、充電状態が２１〜４０％の状態にあると判断し、充電状態データを状態１とする。
【００４４】
さらに、測定した充電電圧がＹ［Ｖ］以上Ｚ［Ｖ］未満の場合は、充電状態が４１〜６０％の状態にあると判断し、充電状態データを状態２とする。測定した充電電圧がＺ［Ｖ］以上で、且つ測定した充電電流が設定値Ｉｔ［ｍＡ］以上の場合は、充電状態が６１〜８０％の状態にあると判断し、充電状態データを状態３とする。
【００４５】
さらに、充電電圧がＺ［Ｖ］以上で、且つ充電電流がＩｔ［ｍＡ］未満の場合は、充電状態が８１〜１００％であるため、充電状態データを満充電状態とする。充電電圧がＺ［Ｖ］以上で、且つ充電電流がＩｆ以下まで垂下したときは充電を終了する。
【００４６】
このように、充電制御マイコン１１８は、予め設定された充電電圧（Ｘ，Ｙ，Ｚ）に基づいてバッテリーパックの充電状態を判定している。そして、充電の進行により充電条件が変更されると、充電制御マイコン１１８はバッテリーパック１２８内の不揮発性メモリ１３３に格納されている充電状態データを書き換える。
【００４７】
本実施の形態では、充電状態データを５段階に分けて説明を行ったが、更に条件を細分化することにより、より詳細な充電状態を表すことが可能になる。
【００４８】
次に、図２のステップＳ１１２における充電状態データテーブルの補正について図４を参照して説明する。ここでは、バッテリーパックの充電状態データが状態２のときの補正方法について説明するが、バッテリーパックの充電状態データがどの状態にあるときでも補正方法は同じである。
【００４９】
図４において、２０４（実線）と２０２（実線）は、充電電流値がＩ［ｍＡ］のときの任意のバッテリーパックの充電特性である。２０４ａ（点線）と２０２ａ（点線）は、充電電流値がＩ［ｍＡ］より低いＩａ［ｍＡ］のときのバッテリーパックの充電特性である。
【００５０】
ここで、バッテリーパックの充電状態が状態２であるか否かを判別するための充電電圧Ｙ［Ｖ］は、充電電流値がＩ［ｍＡ］のときは点Ａの位置になるが、充電電流値がＩａ［ｍＡ］のときはＢの位置になる。そのため、実際の充電電流値がＩａ［ｍＡ］の場合、点Ａから点Ｂの差が充電状態の誤差となってしまう。その誤差を補正するために、測定した充電電流値がＩａ［ｍＡ］のときは、バッテリーパックの充電状態が状態２であるか否かを判別するための充電電圧をＹ［Ｖ］からＹａ［Ｖ］に補正する。これにより、状態２であるか否かを判別するための位置が点Ａから点Ｃの位置へ変更され、バッテリーパックの充電状態の判別精度を向上させることができる。
【００５１】
上記実施の形態では、状態２を判定するための充電電圧Ｙの補正について説明したが、上述した充電電圧Ｘ，Ｚについても同様の方法で補正を行うことができる。
【００５２】
また、補正した充電状態データテーブルに基づいて充電状態を判定し、その充電状態を表示部１３９に表示することにより、正確な充電状態を表示することができる。
【００５３】
バッテリーパックの充電状態を判別するための充電電圧Ｘ，Ｙ，Ｚは、図５（ａ）に示すような補正テーブルに基づいて補正される。補正テーブルは、バッテリーパック１２８内の不揮発性メモリ１３３に予め格納されている。図５（ａ）では、充電電流７００，６５０，６００［ｍＡ］に対する状態２時の各充電電圧が例示されているが、これに限定されるものではなく、各充電電流に対して各充電状態における補正用の充電電圧が設定されているものとする。
【００５４】
一方、充電特性は充電電流や充電電圧だけでなく、温度変化によっても異なることから、より正確な充電状態を特定するために、バッテリーパックの種類毎及び電池温度毎の複数の充電状態データテーブルを予めＲＯＭ内に格納してもよい。その場合、バッテリーパック１２８内の不揮発性メモリ１３３には、図５（ｂ）に示すような電池温度毎の補正テーブルが格納される。
【図面の簡単な説明】
【００５５】
【図１】本発明の実施形態に係る充電装置とバッテリーパックの内部構成を示すブロック図である。
【図２】バッテリーパックへの充電制御処理を示すフローチャートである。
【図３】充電状態データテーブルの一例を示す図である。
【図４】バッテリーパックの充電特性と充電状態データとの関係を示す図である。
【図５】充電状態データテーブルを補正するための補正テーブルの一例を示す図であり、（ａ）は充電電流毎の補正テーブル、（ｂ）は電池温度毎の補正テーブルを示す。
【符号の説明】
【００５６】
１０１  充電装置
１１８  充電制御マイコン
１２８  バッテリーパック
１３３  不揮発性メモリ
１３４  サーミスタ（温度検出素子）
１３８  二次電池セル
１３９，３１３  表示部
【図１】
2008304374.tif 000003
【図２】
2008304374.tif 000004
【図３】
2008304374.tif 000005
【図４】
2008304374.tif 000006
【図５】
2008304374.tif 000007